(57)【特許請求の範囲】
【請求項１】
複数の給油機構を収納した本体ケースが正面側及び背面側を給油エリアに面してアイランド上に立設され、前記給油機構に配管を介して先端に給油ノズルを有する給油ホースが接続され、該給油ノズルが前記本体ケースの正面側及び背面側に設けた、ノズルスイッチを有するノズル掛けに掛けられる給油装置において、前記本体ケースの一方の側面側には、給油位置を含む給油設定データを入力するためのタッチパネルと、給油に関する伝票を印字するためのプリンタとを有するデータ入出力装置が設けられ、前記タッチパネルは、給油終了後の前記ノズルスイッチによるノズル掛け信号に基づいて、前記プリンタが発行する伝票がどちら側の給油位置かを表示することを特徴とする給油装置。
【発明の詳細な説明】
【０００１】
【発明の属する技術分野】
本発明は、セルフサービス式給油所に設置される給油装置に関するものである。
【０００２】
【従来の技術】
近年、給油所には人件費の削減等のために、自動車の給油作業及び窓拭き等のサービス作業を顧客自身が行うセルフサービス方式の給油所がある。この種の給油所に設置される給油装置は、正面側及び背面側の給油エリアに面した各操作面毎に、複数の油種のいずれかを給油できるように、複数の給油ホースが頂部ケースから吊り下げられ、また顧客自身が油種や給油量等の給油設定を行うためのデータ入出力装置が設けられている。
【０００３】
【発明が解決しようとする課題】
従来の給油装置では、データ入出力装置の入力操作の際に、頂部ケースから吊り下げられた給油ホースが邪魔になるおそれがあった。これに対して、正面側及び背面側の各操作面毎に設けられるデータ入出力装置を給油装置の側面側のいずれか一方側に設けることで、給油ホースに邪魔されることなく給油設定を行うことができ、かつ機器コストを低減することができる。しかしながら、データ入手力装置を給油装置の側面側に設けて共用した場合に、複数の顧客が同時に給油を終了して複数の伝票が出力されるとき、誤って他人の伝票を受けとてしまうことがあり、そのため事務所または精算所で給油料金を正しく精算できない問題点が生じるおそれがあった。
【０００４】
本発明は上記事情に鑑みなされたもので、データ入出力装置を共用してコスト低減を図ることができるとともに、給油料金の精算を正しく確実にできる給油装置を提供することを目的とする。
【０００５】
【課題を解決するための手段】
上記目的を達成するために請求項１に記載の発明にあっては、複数の給油機構を収納した本体ケースが正面側及び背面側を給油エリアに面してアイランド上に立設され、前記給油機構に配管を介して先端に給油ノズルを有する給油ホースが接続され、該給油ノズルが前記本体ケースの正面側及び背面側に設けた、ノズルスイッチを有するノズル掛けに掛けられる給油装置において、前記本体ケースの一方の側面側には、給油位置を含む給油設定データを入力するためのタッチパネルと、給油に関する伝票を印字するためのプリンタとを有するデータ入出力装置が設けられ、前記タッチパネルは、給油終了後の前記ノズルスイッチによるノズル掛け信号に基づいて、前記プリンタが発行する伝票がどちら側の給油位置かを表示することを特徴とするものである。データ入出力装置が本体ケースの一方の側面側に設けられることで、給油ホースに邪魔されることなく給油設定でき、かつ共用して機器コスト低減を図ることができる。また、タッチパネルに給油位置が表示されるため伝票の取り違いなくなる。
【００１１】
【発明の実施の形態】
以下、本発明を図示の一実施形態により具体的に説明する。図１〜図５は本発明第１実施形態の給油装置を説明する図であり、図１は給油装置の側面図、図２は給油装置の正面図、図３は給油装置及び販売管理装置の構成を説明するブロック図、図４はタッチパネルの表示例を説明する図、図５は給油位置伝票を説明する図である。
【００１２】
これらの図において、本実施形態の給油装置１０は、例えば、レギュラーガソリン、ハイオクガソリン及び軽油のいずれかを給油エリアに面した正面側及び背面側において給油するためのセルフサービス式の地上設置型装置であり、細長いアイランド上に立設された本体ケース１１内には、それぞれの油種の給油機構を構成する給油ポンプや流量計等が収納されている。この給油機構の流量計の流出口側には、配管を介して先端に給油ノズル１８を有する給油ホース１７が接続され、その給油ノズル１８が本体ケース１１の給油エリアに面した正面側及び背面側に配置されている。
【００１３】
本体ケース１１は、ベースプレート１２の上部に配置された複数の給油機構を収納する下部ケース１３と、その上部に配置された上部ケース１４と、下部ケース１３及び上部ケース１４の左右に設けられた支柱１５，１５と、支柱１５，１５の上端部間に設けられた給油ホース１７を正面側及び背面側に吊り下げる頂部ケース１６等とから構成されている。給油ノズル１８は、下部ケース１３の正面側及び背面側に設けられたノズル掛け１９に掛けられるようになっており、このノズル掛け１９の近傍には、給油ノズル１８の掛け外しを検知するノズルスイッチ２０が設けられている。上部ケース１４は、フレーム構造により全体として箱型のハウジングに形成されており、そのハウジングの正面側及び背面側が表示パネル１４ａになっている。この表示パネル１４ａには、透過型液晶表示からなる給油金額表示器２１、給油量表示器２２及び単価表示器２３が中央の上部から下部にかけて取り付けられている。
【００１４】
本体ケース１１の一方の側面側(右側または左側)に対応する支柱１５中央部には、データ入出力装置２５を構成する、各種給油設定や案内表示のためのタッチパネル２６と、クレジットカード等を読み取るためのカードリーダ２７と、給油に関する伝票を出力するためのプリンタ２８とが設けられている。
【００１５】
また、本体ケース１１の上部ケース１４内には、給油制御のための給油制御装置２９、及びデータ入出力装置２５を構成する給油設定データあるいは給油量データ入出力制御のためのデータ入出力制御装置３２が設けられている。給油制御装置２９は、ノズルスイッチ２０からの信号により給油機構を制御する給油機構制御手段２９ａと、給油機構の流量計で計数した給油量データを出力するための給油量データ出力手段２９ｂとを有する。データ入出力制御装置３２は、タッチパネル２６で入力した給油設定データを出力するための給油設定データ出力手段３２ａと、タッチパネル２６で入力した給油位置に関するデータを、給油設定データを入力終了したときに、給油位置伝票としてプリンタ２８から出力するための伝票出力手段３２ｂとを有する。
【００１６】
タッチパネル２６は、給油設定データ等を顧客自身が入力するためものであり、その表示画面は、例えば、図４に示すように、給油位置として正面側(Ａ面側)あるいは背面側（Ｂ面側）のどちら側で給油するかを選択するための「←」、「→」の釦が表示され、油種としてレギュラ、ハイオクあるいは軽油のいずれかを選択するための「Ｒ」、「Ｈ」、「軽」の釦が表示され、給油量の設定として一定の決められた給油金額または給油量あるいは満タンを選択するための釦が表示されている。また、伝票出力手段３２ｂによりプリンタ２８から出力される給油位置伝票は、例えば、図５に示すように、給油装置１０の番号を示す「給油装置Ｎｏ．：２２５０１」、その給油装置１０のどちら側で給油するかを示す「給油位置：Ａ」等のように印字される。
【００１７】
また、この給油装置１０が設けられる給油所は、事務所あるいは精算所に給油装置１０を含む全体の機器を管理するための販売管理装置３０が設けられている。この販売管理装置３０は、データ入出力制御装置２５及び給油制御装置２９との間でデータ送受信可能に接続された販売管理制御装置３１を備えている。この販売管理制御装置３１は、給油設定データ出力手段３２ａから出力される給油設定データを受信して給油許可信号を給油制御装置２９へ出力するための給油許可信号出力手段３１ａと、給油設定データ出力手段３２ａから出力される給油設定データ及び給油量データ出力手段２９ｂから出力される給油量データを記憶する給油データ記憶手段３１ｂと、給油終了後に顧客が持参する給油位置伝票と給油データ記憶手段３１に記憶した給油データに基づき料金精算を行う給油料金精算手段３１ｃとを有する。
【００１８】
次に、上記構成の給油装置１０の動作を説明する。まず、顧客が、給油装置１０の一方の側面側に設けられたデータ入手力装置２５を構成するタッチパネル２６の給油設定画面に基づいて、どちら側で給油するかの給油位置、油種及び給油量を釦で選択することで、給油設定データを入力すると、データ入出力制御装置３２は、その給油設定データ出力手段３２ａにより給油設定データを販売管理制御装置３１へ出力するとともに、伝票出力手段３２ｂによりプリンタ２８で、図５に示すような、給油位置伝票を印字する。この給油位置伝票は、後に顧客が給油管理装置３０の設けられている事務所または精算所に持参して給油料金の精算に使用する。次に、給油設定データを受信した販売管理制御装置３１は、そのデータを給油データ記憶手段３１ｂに記憶するとともに、給油許可信号出力手段３１ａが給油許可信号を、対応する給油装置１０の給油制御装置２９へ送信する。給油許可信号を受信した給油制御装置２９は、顧客が給油ノズル１８をノズル掛け１９から外したことを検知したノズルスイッチ２０から信号により給油可能な状態になり、給油機構制御手段２９ａにより給油機構が制御され、途中の給油量データが計数される。そして、給油が終了して給油ノズル１８をノズル掛け１９に掛けたとき、給油量データ出力手段２９ｂは、給油量データを販売管理制御装置３１へ送信する。給油量データを受信した販売管理制御装置３１は、給油設定データに対応させて給油データ記憶手段３１ｂへ記憶し、給油終了した顧客が給油料金の精算のために事務所または精算所に来るのを待つ。給油終了した顧客が給油位置伝票を持参して事務所または精算所に来たとき、販売管理制御装置３１の給油料金精算手段３１ｃが給油データ記憶手段３１ｂに記憶した給油設定データ及び給油量データに基づいて給油料金の精算処理を行い、顧客が持参した給油位置伝票により、どの給油装置１０のどちら側の面で給油したかを確認して給油料金の精算を行う。
【００１９】
上記構成の給油装置１０では、本体ケース１１の側面側の一方にデータ入出力装置２５が設けられているため、正面側及び背面側に頂部ケース１６から吊り下げられている給油ホース１７に邪魔されることなく給油設定が容易にでき、かつデータ入出力装置２５を共用することができるため、機器コストの低減を図ることができる。また、タッチパネル２６で給油設定データの入力を終了した後給油前に、プリンタ２８で、どの給油装置１０のどちら側で給油するかを示す給油位置伝票を印字するため、伝票の取り違いがなくなり、その給油位置伝票を給油終了後に、事務所または精算所に持参して販売管理装置３０の給油データ記憶手段３１ｂに記憶されている給油設定データ及び給油量データにより給油料金の精算を正しく確実にできるようになる。
【００２０】
図６及び図７は本発明第２実施形態の給油装置を説明する図であり、図６は給油装置及び販売管理装置の構成を説明するブロック図、図７はタッチパネルの表示例を説明する図である。なお、第１実施形態に対応する部分及び部材は同一の符号を記し詳細の説明を省略する。
【００２１】
この実施形態の給油装置は、第１実施形態と同じ機械的構成を備え、そのデータ入出力装置２５のデータ入出力制御装置３２′は、タッチパネル２６で入力した給油設定データを出力するための給油設定データ出力手段３２′ａと、タッチパネル２６で入力した給油位置に関するデータを、給油終了後にノズルスイッチ２０のノズル掛け信号を受信したときに、給油位置伝票としてプリンタ２８から出力するための伝票出力手段３２′ｂと、給油終了後にノズルスイッチ２０のノズル掛け信号を受信したときに、タッチパネル２６に図７に示すような、給油位置を矢印で表示させる給油位置確認手段３２′ｃとを有する。
【００２２】
上記構成の給油装置１０では、第１実施形態と同様に給油ホース１７に邪魔されることなく給油設定が容易になり、かつデータ入出力装置２５を共用することができるため、機器コスト低減を図ることができる。また、給油終了後にタッチパネル２６に給油位置が表示され、プリンタ２８で、どの給油装置のどちら側で給油したかを示す給油位置伝票を発行するため、同時に給油が終了した場合でも、給油位置が表示された側の顧客が、給油位置伝票を受け取ることを知り、伝票の取り違いがなくなる。したがって、その給油位置伝票を事務所または精算所に持参して、販売管理装置３０により給油料金の精算を正しく確実にできるようになる。
【００２３】
図８〜図１０は本発明第３実施形態の給油装置を説明する図であり、図８は給油装置の側面図、図９は伝票振分け機構を説明する図、図１０は給油装置及び販売管理装置の構成を説明するブロック図である。なお、第１実施形態に対応する部分及び部材は同一の符号を記し詳細の説明を省略する。
【００２４】
この実施形態の給油装置４０は、第１実施形態と同じ本体ケース１１の一方の側面側(右側または左側)に対応する支柱１５中央部には、データ入出力装置２５を構成する、給油設定のためのタッチパネル２６と、クレジットカード等を読み取るカードリーダ２７と、給油位置伝票を出力するプリンタ４１と、このプリンタ４１から出力される伝票を給油位置に応じて振分ける伝票振分け機構４２とが設けられている。この伝票振分け機構４２は、プリンタ４１の出力口から左右の案内路を設けてカードリーダ２７の左右にそれぞれ臨まされた伝票出口４４，４４を形成する案内部４３と、この案内部４３内の左右の案内路へ振分ける回動自在な仕切板４５と、仕切板４５を回動させるモータ４６と、モータ４６の回転角度を検知するエンコーダ４７と、仕切板４５の回動位置を左右の案内路に合わせて規制する回動規制片４８とから構成されており、給油終了後のノズルスイッチ２０からのノズル掛け信号により、データ入出力制御装置３２が、エンコーダ４７の回転角度を検知しモータ４６を回転して仕切板４５を給油位置側の伝票出口４４へ案内するよう回動するようになっている。その他の構成は第１実施形態と同様である。
【００２５】
上記構成の給油装置４０では、第１実施形態と同様に給油ホース１７に邪魔されることなく給油設定が容易になり、かつデータ入出力装置２５を共用することができるため、機器コスト低減を図ることができる。また、給油終了後にデータ入出力制御装置３２がノズルスイッチ２０のノズル掛け信号により、モータ４６を回転して仕切板４５を給油位置側の伝票出口４４へ案内するように回動するため、プリンタ４１で印字された給油位置伝票が、その伝票出口４４に排出されるため、複数の顧客が重なった場合でも伝票の取り忘れによる占有を防止することができるとともに、伝票の取り違いがなくなる。したがって、その給油位置伝票を事務所または精算所に持参して販売管理装置３０により給油料金の精算を正しく確実にできるようになる。
【００２６】
図１１〜図１４は本発明第４実施形態の給油装置を説明する図であり、図１１は給油装置の側面図、図１２は給油装置及び販売管理装置を説明するブロック図、図１３は給油位置伝票を説明する図、図１４は給油明細を説明する図である。なお、第３実施形態に対応する部分及び部材は同一の符号を記し詳細の説明を省略する。
【００２７】
この実施形態の給油装置５０は、第３実施形態と同じ本体ケース１１の一方の側面側(右側または左側)に対応する支柱１５中央部には、データ入出力装置２５を構成する、給油設定のためのタッチパネル２６と、クレジットカード等を読み取るカードリーダ２７と、給油位置伝票及び給油明細を出力するためのプリンタ４１と、このプリンタ４１から出力される伝票を給油位置に応じて振分ける伝票振分け機構４２とが設けられ、この伝票振分け機構４２の伝票出口４４，４４がカードリーダ２３の左右に設けられている。また、データ入出力装置２５の下部には、紙幣やコインを挿入して給油料金を精算し釣り銭がある場合には、釣り銭を出す釣り銭機５１が設けられている。この釣り銭機５１は、給油料金、挿入した紙幣やコインの金額、釣り銭を表示する表示器５２と、釣り銭がある場合に給油位置伝票を読み取るリーダに備える伝票挿入口５３と、給油料金の紙幣やコインを読み取るリーダに設けられる紙幣挿入口５４及びコイン投入口５５と、釣り銭がある場合の紙幣受取口５６及びコイン受取口５７とから構成されている。そして、給油装置５０、データ入出力装置２５及び釣り銭機５１は、事務所または精算所に設けられた販売管理装置３０とデータ送受信可能に接続されている。プリンタ４１で印字され伝票出口４４に排出される給油位置伝票は、例えば、図１３に示すように、給油装置５０の番号を示す「給油装置Ｎｏ．：２２５０２」、その給油装置５０のどちら側で給油するかを示す「給油位置：Ｂ」等のように印字するとともに、その下部にはこれらの給油装置Ｎｏ．や給油位置の内容のバーコードが印字される。また、同様にプリンタ４１で印字され伝票出口４４に排出される給油明細は、例えば、図１４に示すように、給油所を示す「△△」、給油日が２００１年２月１０日を示す「２００１．２．１０」、油種を示す「ハイオク」、給油量を示す「３０リットル」、給油金額を示す「３，１５０円」、入金金額を示す「５，０００円」、釣り銭を示す「１，８５０円」等が印字される。その他の構成は第３実施形態と同様である。
【００２８】
次に、上記構成のデータ入出力装置２５、販売管理装置３０、釣り銭機５１及び給油装置５０の動作を説明する。図１５はデータ入出力装置の動作を説明するフローチャート、図１６は販売管理装置の動作を説明するフローチャート、図１７は釣り銭機の動作を説明するフローチャート、図１８は給油装置の動作を説明するフローチャートである。
【００２９】
まず、データ入出力装置２５のタッチパネル２６において給油設定を行うと（ＳＴ１）、その給油設定データが販売管理装置３０へ送信されるとともに、プリンタ４１で、図１３に示すような、印字された給油位置伝票が発行され、伝票振分け装置４２により振分けられて給油位置側の伝票出口４４に排出される（ＳＴ２）。販売管理装置３０が給油設定データを受信したとき（ＳＴ１１）、その給油設定データを釣り銭機５１へ送信する（ＳＴ１２）。釣り銭機５１が給油設定データを受信したとき（ＳＴ２１）、表示器５２に設定された給油量に対応する給油料金を表示する（ＳＴ２４）。続いて、釣り銭機５１の紙幣挿入口５４またはコイン投入口５５から給油料金に見合う金額を入金すると（ＳＴ２３）、その入金データが販売管理装置３０へ送信される（ＳＴ２４）。販売管理装置３０が入金データを受信したとき（ＳＴ１３）、給油装置５０へ給油許可信号を出力する（ＳＴ１４）。給油装置５０が給油許可信号を受信し（ＳＴ３１）、ノズルスイッチ２０が給油ノズル１８をノズル掛け１９から外したことを検知して給油可能な状態になり、給油機構が駆動されるとともに給油が行われる（ＳＴ３２，３３）。続いて給油装置５０は、給油が終了しノズルスイッチ２０が給油ノズル１８をノズル掛け１９に掛けたことを検知して、給油終了信号及び給油量データを販売管理装置３０へ出力する（ＳＴ３４）。販売管理装置３０は、給油終了信号及び給油量データを受信したとき（ＳＴ１５）、その給油終了信号及び給油量データをデータ入出力装置２５及び釣り銭機５１へ送信する（ＳＴ１６）。データ入出力装置２５は、給油終了信号及び給油量データを受信したとき（ＳＴ３）、図１４に示すような、プリンタ４１で印字された給油明細が発行され、伝票振分け装置４２により振分けられて給油位置側の伝票出口４４に排出される（ＳＴ４）。一方、釣り銭機５１は、給油終了信号及び給油量データを売上げデータとして受信し（ＳＴ２５）、続いて、給油位置伝票を伝票挿入口５３から挿入すると（ＳＴ２６）、そこに表示されているバーコードが読み取られ、釣り銭があるときに紙幣受取口５６またはコイン受取口５７に釣り銭が排出される（ＳＴ２７）。
【００３０】
上記構成の給油装置５０では、第３実施形態と同様に給油ホース１７に邪魔されることなく給油設定が容易になり、かつデータ入出力装置２５を共用することができるため、コスト低減を図ることができる。また、第３実施形態と同様に、給油位置伝票及び給油明細が給油位置側の伝票出口４４へ排出されるため、複数の顧客が重なった場合でも伝票の取り忘れによる占有を防止することができるとともに伝票の取り違いがなくなる。さらに、この実施形態では、給油設定をした後、給油前に給油位置伝票を発行するとともに給油料金に見合った料金を釣り銭機５１へ入金し、給油終了後に給油明細を発行し、給油位置伝票を伝票挿入口５２に入れると、釣り銭が排出されるため、事務所あるいは精算所に行かなくても、給油エリアにおいて給油料金の精算が正しく確実にできるようになる。
【００３１】
図１９〜図２１は本発明第５実施形態の給油装置を説明する図であり、図１９は給油装置の側面図、図２０は給油装置及び販売管理装置を説明するブロック図、図２１は給油明細を説明する図である。なお、第３実施形態に対応する部分及び部材は同一の符号を記し詳細の説明を省略する。
【００３２】
この実施形態の給油装置６０は、第３実施形態と同じ本体ケース１１の一方の側面側(右側または左側)に対応する支柱１５中央部には、データ入出力装置２５を構成する、給油設定のためのタッチパネル２６と、クレジットカード等を読み取るカードリーダ２７と、給油位置伝票及び給油明細を出力するためのプリンタ４１と、このプリンタ４１から出力される伝票を給油位置に応じて振分ける伝票振分け機構４２とが設けられ、この伝票振分け機構４２の伝票出口４４，４４がカードリーダ２３の左右に設けられている。また、データ入出力装置２５の下部には、給油料金の精算のために挿入される紙幣を読み取る紙幣読取機６１が設けられている。この紙幣読取機６１は、給油金額や挿入した紙幣の金額を表示する表示器６２と、紙幣を読み取るリーダに設けられる紙幣挿入口６３とから構成されている。そして、給油装置６０、データ入出力装置２５及び紙幣読取機６１は、事務所または精算所に設けられた販売管理装置３０とデータ送受信可能に接続されている。プリンタ４１で印字され伝票出口４４に排出される給油明細は、図２１に示すように、給油所を示す「△△」、給油日が２００１年２月１０日を示す「２００１．２．１０」、油種を示す「ハイオク」、給油量を示す「３０リットル」、給油金額を示す「３，１５０円」、及びその下部に釣り銭がある場合に給油位置や釣り銭額等を示すバーコードが表示される。その他の構成は第３実施形態と同様である。
【００３３】
次に、上記構成のデータ入出力装置２５、販売管理装置３０、紙幣読取機６１及び給油装置５０の動作を説明する。図２２はデータ入出力装置の動作を説明するフローチャート、図２３は販売管理装置の動作を説明するフローチャート、図２４は紙幣読取機の動作を説明するフローチャート、図２５は給油装置の動作を説明するフローチャートである。
【００３４】
まず、データ入出力装置２５のタッチパネル２６において給油設定を行うと（ＳＴ４１）、その給油設定データが販売管理装置３０へ送信される（ＳＴ４２）。販売管理装置３０が給油設定データを受信したとき（ＳＴ５１）、その給油設定データを紙幣読取機６１へ送信する（ＳＴ５２）。紙幣読取機６１が給油設定データを受信したとき（ＳＴ６１）、表示器６２に設定された給油量に対応する給油料金を表示する（ＳＴ６２）。続いて、紙幣読取機６１の紙幣挿入口６３から給油料金に見合う紙幣を挿入して入金すると（ＳＴ６３）、その入金データが販売管理装置３０へ送信される（ＳＴ６４）。販売管理装置３０が入金データを受信したとき（ＳＴ５３）、給油装置６０へ給油許可信号を出力する（ＳＴ５４）。給油装置６０が給油許可信号を受信し（ＳＴ７１）、ノズルスイッチ２０が給油ノズル１８をノズル掛け１９から外したことを検知して給油可能な状態になり、給油機構が駆動されるとともに給油が行われる（ＳＴ７２，７３）。続いて給油装置６０は、給油が終了しノズルスイッチ２０が給油ノズル１８をノズル掛け１９に掛けたことを検知して、給油終了信号及び給油量データを販売管理装置３０へ送信する（ＳＴ７４）。販売管理装置３０は、給油終了信号及び給油量データを受信したとき（ＳＴ５５）、釣り銭が無いかを判断し（ＳＴ５６）、無い場合には給油明細データを送信し（ＳＴ５７）、釣り銭がある場合には給油明細データ、給油装置番号及び給油位置、何番目の顧客か等のデータを送信する（ＳＴ５８）。データ入出力装置２５は、釣り銭が無い場合あるいは釣り銭がある場合の明細データを受信したとき（ＳＴ４３）、図２１に示すような給油明細を発行する（ＳＴ４４）。この給油明細は、釣り銭がある場合にバーコードが示されている。顧客は、この釣り銭付きの給油明細を事務所または精算所に持参し、事務所員がこの給油明細のバーコードをリーダ等で読取り、販売管理装置３０に記録された給油装置番号及び給油位置、何番目の顧客か等のデータを照合して釣り銭を渡す。
【００３５】
上記構成の給油装置６０では、第３実施形態と同様に給油ホース１７に邪魔されることなく給油設定が容易になり、かつデータ入出力装置２５を共用することができるため、機器コスト低減を図ることができる。また、第３実施形態と同様に、給油明細が給油位置側の伝票出口４４へ排出されるため、複数の顧客が重なった場合でも伝票の取り忘れによる占有を防止することができるとともに伝票の取り違いがなくなる。さらに、この実施形態では、給油前に入金するため不払いを防止でき、かつ給油終了後に発行される給油明細に釣り銭がある場合には、給油装置番号及び給油位置、何番目の顧客か等のデータを示すバーコードが示されるため、事務所あるいは事務所において、釣り銭を間違いなく顧客に渡すことができ、給油料金の精算が正しく確実にできるようになる。さらに、この実施形態では、給油装置６０の側面側に紙幣読取機６１を設けているため、釣り銭機を設ける場合より、機器コスト低減を図ることができる。
【００３６】
なお、上記各実施形態において、現金による給油料金の精算について説明したが、クレジットカード、あるいはデビットカードによる給油料金の精算を行うようにすることもできる。また、第１実施形態において、給油位置伝票を側面側に設けたプリンタ２８で印字しているが、それに代えて正面側及び背面側の表示、パネル１４ａにプリンタをそれぞれ設けてもよい。
【００３７】
【発明の効果】
以上説明したように本発明の給油装置は、本体ケースの一方の側面側に、給油位置を含む給油設定データを入力するためのタッチパネルと、給油に関する伝票を印字するためのプリンタとを有するデータ入出力装置を設けることで、給油ホースに邪魔されることなく給油設定でき、かつ共用して機器コスト低減を図ることができ、給油料金の精算を正しく確実にできる。
【図面の簡単な説明】
【図１】本発明第１実施形態の給油装置の側面図である。
【図２】本発明第１実施形態の給油装置の正面図である。
【図３】本発明第１実施形態の給油装置及び販売管理装置の構成を説明するブロック図である。
【図４】本発明第１実施形態のタッチパネルの表示例を説明する図である。
【図５】本発明第１実施形態の給油位置伝票を説明する図である。
【図６】本発明第２実施形態の給油装置及び販売管理装置の構成を説明するブロック図である。
【図７】本発明第２実施形態のタッチパネルの表示例を説明する図である。
【図８】本発明第３実施形態の給油装置給油装置の側面図である。
【図９】本発明第３実施形態の伝票振分け機構を説明する図である。
【図１０】本発明第３実施形態の給油装置及び販売管理装置の構成を説明するブロック図である。
【図１１】本発明第４実施形態の給油装置の側面図である。
【図１２】本発明第４実施形態の給油装置及び販売管理装置を説明するブロック図である。
【図１３】本発明第４実施形態の給油位置伝票を説明する図である。
【図１４】本発明第４実施形態の給油明細を説明する図である。
【図１５】本発明第４実施形態のデータ入出力装置の動作を説明するフローチャートである。
【図１６】本発明第４実施形態の販売管理装置の動作を説明するフローチャートである。
【図１７】本発明第４実施形態の釣り銭機の動作を説明するフローチャートである。
【図１８】本発明第４実施形態の給油装置の動作を説明するフローチャートである。
【図１９】本発明第５実施形態の給油装置の側面図である。
【図２０】本発明第５実施形態の給油装置及び販売管理装置を説明するブロック図である。
【図２１】本発明第５実施形態の給油明細を説明する図である。
【図２２】本発明第５実施形態のデータ入出力装置の動作を説明するフローチャートである。
【図２３】本発明第５実施形態の販売管理装置の動作を説明するフローチャートである。
【図２４】本発明第５実施形態の紙幣読取機の動作を説明するフローチャートである。
【図２５】本発明第５実施形態の給油装置の動作を説明するフローチャートである。
【符号の説明】
１０  給油装置
１１  本体ケース
１２  ベースプレート
１３  下部ケース
１４  上部ケース
１４ａ  表示パネル
１５  支柱
１６  頂部ケース
１７  給油ホース
１８  給油ノズル
１９  ノズル掛け
２０  ノズルスイッチ
２１  給油金額表示器
２２  給油量表示器
２３  単価表示器
２５  データ入出力装置
２６  タッチパネル
２７  カードリーダ
２８  プリンタ
２９  給油制御装置
２９ａ  給油機構制御手段
２９ｂ  給油量データ出力手段
３０  販売管理装置
３１  販売管理制御装置
３１ａ  給油許可信号出力手段
３１ｂ  給油データ記憶手段
３１ｃ  給油料金精算手段
３２  データ入出力制御装置
３２ａ  給油設定データ出力手段
３２ｂ  伝票出力手段
３２′  データ入出力制御装置
３２′ａ  給油設定データ出力手段
３２′ｂ  伝票出力手段
３２′ｃ  給油位置確認手段
４０  給油装置
４１  プリンタ
４２  伝票振分け機構
４３  案内部
４４  伝票出口
４５  仕切板
４６  モータ
４７  エンコーダ
４８  回動規制片
５０  給油装置
５１  釣り銭機
５２  表示器
５３  伝票挿入口
５４  紙幣挿入口
５５  コイン投入口
５６  紙幣受取口
５７  コイン受取口
６０  給油装置
６１  紙幣読取機
６２  表示器
６３  紙幣挿入口
【図１】
0003874238.tif 000002
【図２】
0003874238.tif 000003
【図３】
0003874238.tif 000004
【図４】
0003874238.tif 000005
【図５】
0003874238.tif 000006
【図６】
0003874238.tif 000007
【図７】
0003874238.tif 000008
【図８】
0003874238.tif 000009
【図９】
0003874238.tif 000010
【図１０】
0003874238.tif 000011
【図１１】
0003874238.tif 000012
【図１２】
0003874238.tif 000013
【図１３】
0003874238.tif 000014
【図１４】
0003874238.tif 000015
【図１５】
0003874238.tif 000016
【図１６】
0003874238.tif 000017
【図１７】
0003874238.tif 000018
【図１８】
0003874238.tif 000019
【図１９】
0003874238.tif 000020
【図２０】
0003874238.tif 000021
【図２１】
0003874238.tif 000022
【図２２】
0003874238.tif 000023
【図２３】
0003874238.tif 000024
【図２４】
0003874238.tif 000025
【図２５】
0003874238.tif 000026